(57)【特許請求の範囲】
【請求項１】
ペリクル構造体のペリクル膜の膜面に近接して配置され、前記ペリクル膜の膜面を所定高さに補正する位置補正手段を有することを特徴とするペリクル構造体の姿勢制御機構。
【請求項２】
前記位置補正手段は、前記ペリクル膜の膜面の高さを計測する計測手段と、この計測値に基づいて前記ペリクル膜の膜面との間にある気体の圧力を制御をする圧力制御手段を有することを特徴とする請求項１記載のペリクル構造体の姿勢制御機構。
【請求項３】
ペリクル構造体が装着されたフォトマスクを保持するマスクステージに設けられ、このマスクステージの走査時に前記ペリクル膜の膜面付近の気流を整流する整流手段を有することを特徴とするペリクル構造体の姿勢制御機構。
【請求項４】
前記整流手段は、前記マスクステージの外側方向に下る傾斜面を有することを特徴とする請求項３記載のペリクル構造体の姿勢制御機構。
【請求項５】
請求項１〜４のいずれかに記載のペリクル構造体の姿勢制御機構を用いて、基板を露光することを特徴とする露光方法。
【発明の詳細な説明】
【０００１】
【発明の属する技術分野】
この発明は、フォトマスクに装着されるペリクル構造体の姿勢制御機構及びそれを用いた露光方法に関する。
【０００２】
【従来の技術】
半導体素子などの製造工程におけるパターン転写技術に用いられる露光装置において、ペリクル構造体が装着されたフォトマスクが用いられる。このペリクル構造体は、フォトマスクのパターン面に対して間をおいてペリクル膜を設け、それらの間の空間に清浄な雰囲気を確保する。これにより、パターン面へのパーティクルの付着などを阻止し、欠陥の転写を回避することができる。
【０００３】
従来の３６５ｎｍ、２４８ｎｍ、１９３ｎｍといった露光波長を用いる露光装置では、ペリクル膜として１μｍ程度の膜厚のポリマー膜を用いていた。一方、次世代の露光装置として期待されているＦ２エキシマレーザー光源による１５７．６ｎｍの露光波長を用いる露光装置では、透明性と照明耐性を両立したポリマー膜を薄膜で製作することは出来ておらず、数百μｍの膜厚の透明ガラス板でペリクル膜を構成する技術の開発が進められている。
【０００４】
【発明が解決しようとする課題】
しかし、数百μｍの膜厚の透明ガラス板で構成したペリクル膜は、従来のペリクル膜に比べて二桁以上膜厚が増大するため、ガラス板の状態で所望の光学特性・形状精度を達成しても、ペリクル膜としてマスクに装着した状態では、自重により撓んだり、露光処理における走査に伴って変形したりして、結像性能が著しく劣化するという問題がある。
【０００５】
この発明は、上述のような課題を解決するためになされたもので、その目的は、ペリクル膜の膜面の撓み、振動といった変形を防いで、転写精度を確保することができるペリクル構造体の姿勢制御機構及びそれを用いた露光方法を得るものである。
【０００６】
【課題を解決するための手段】
この発明に係るペリクル構造体の姿勢制御機構は、ペリクル構造体のペリクル膜の膜面に近接して配置され、前記ペリクル膜の膜面を所定高さに補正する位置補正手段を有する。この発明のその他の特徴は以下に明らかにする。
【０００７】
【発明の実施の形態】
図１(a)はペリクル構造体を装着したフォトマスクの平面図であり、そのＡ−Ａ´の断面図が図１(b)である。ここで、フォトマスク１は、６０２５ブランクスと呼ばれる６インチ角、０．２５インチ厚規格の高透過率フッ素添加合成石英ガラスブランクスであり、その主面（図１(b)では下側の面）の遮光膜が加工されて、マスクパターンが形成されている。  このフォトマスク１の主面に、外寸１２２ｍｍ×１４９ｍｍ、高さ６．３ｍｍのペリクル構造体２が装着されている。
【０００８】
ペリクル構造体２は、ペリクル膜３と、ペリクルフレーム４と、フィルター５を有する。ここで、ペリクル膜３は、合成石英ガラス製で厚さが０．８ｍｍである。そして、ペリクルフレーム４は、横幅が２ｍｍであり、フォトマスク１と熱膨張係数がほぼ等しいセラミックで形成されている。さらに、フィルター５は、ペリクルフレーム４の１４９ｍｍの長辺側に設けられた開孔部に挿入されている。
【０００９】
次に、図２は、ペリクル構造体が装着されたフォトマスクをマスクステージに保持し、本発明のペリクル構造体の姿勢制御機構を設けた状態を示す断面図である。図２に示すように、マスクステージ６は、フォトマスク１の側面及びペリクル構造体２の側面には、接触せず、約０．１ｍｍの隙間を有している。そして、ペリクル膜３の少なくとも露光領域の膜面を所定姿勢に補正するための姿勢制御手段として、位置補正手段１０と整流手段１１が設けられている。
【００１０】
図３は、位置補正手段の断面図である。図３に示すように、位置補正手段１０は、ペリクル膜３の膜面の高さを計測する計測手段１５、窒素ガスを噴出する供給孔１６及び吸引排気を行う吸引孔１７とを有する。この供給孔１６及び吸引孔１７は、計測手段１５の計測値に基づいてペリクル膜３の膜面との間にある気体（窒素ガス）の圧力を制御をする圧力制御手段である。これにより、ペリクル膜３の膜面の撓みを防いで、転写精度を確保することができる。
【００１１】
また、計測手段１５は、ペリクル膜３の有効領域に損傷を与えない手段であれば良く、静電センサーまたは光学式の検出手段で構成することができる。ここで、光学式の検出手段で構成する場合、位置補正手段１０の一部を検出光に対して透明な材料で構成すれば、位置補正手段１０の形状を損なうことがない。
【００１２】
一方、整流手段１１は、マスクステージ６の外側の側面のスキャン方向の前後に設けられ、マスクステージ６の外側方向に下る傾斜面を有する。この整流手段１１は、スキャン型の縮小投影露光装置におけるマスクステージ６の走査（スキャン露光）時に、図４に示すように、ペリクル膜３の膜面付近の気流を整流する。これにより、スキャン露光時に、ペリクル膜３の膜面付近で乱流が発生するのを防ぎ、ペリクル膜３の膜面の振動を防いで、転写精度を確保することができる。
【００１３】
次に、上記の露光装置を用いて、基板を露光する方法の一例について説明する。まず、露光処理を行う為に、フォトマスク１を位置決めしてマスクステージ６に保持させる。そして、マスクステージ６を投影光学系から離す方向に移動させ、ペリクル膜３の厚みに伴って発生する光路長差を相殺させる。この状態で、ペリクル膜３の表面に約１．８μｍの撓みがある。この撓みを位置補正手段１０により補正する。
【００１４】
そして、１０ｍＪ／ｃｍ２の露光量を得るために、マスクステージ６を約３００ｍｍ／秒の速度で走査させてスキャン露光を行う。なお、露光は、酸化膜加工工程の３００ｍｍ径のシリコン基板に実施し、ポジ型の化学増幅系レジストを０．２μｍ膜厚で用いる。さらに、露光後、所定のベーキング処理を施した後、現像し、レジストパターンを得る。
【００１５】
次に、この得られたレジストパターンをＣＤ−ＳＥＭ(Critical Dimension Scanning Electron Microscope)を用いて検査し、露光領域内で、ほぼ５ｍｍ間隔でメモリーセルアレイ部の端部でないセルパターンの寸法を測定した。測定は、連続して処理した１５枚の基板の中から３枚目を選択し、基板の中の５ショットについて行った。
【００１６】
本発明の露光装置で有効な帯状の約８ｍｍ幅の照明領域の転写特性を静止露光とスキャン露光とで比較した結果、解像性能に差異は認められなかった。また、スキャン露光を行い、その結果得られた転写像の線幅均一性を測定して、露光領域内で＋／−８％に入っている結果を得た。この数値はペリクルを装着しないで同一のマスクを露光処理した結果と比較しても遜色の無いものであり、露光処理仕様を達成していた。
【００１７】
そして、線幅の変動は、基板全体の現像に起因すると考えられるばらつきのみであり、ペリクルの撓み、振動などの異常に起因する分布も、走査方向に依存する分布も認められなかった。また、垂直方向、水平方向の直行する線幅を比較した結果には特に面内で分布が無かった。
【００１８】
【発明の効果】
この発明は以上説明したように、ペリクル膜の膜面の撓み、振動といった変形を防いで、転写精度を確保することができる。
【図面の簡単な説明】
【図１】  ペリクル構造体を装着したフォトマスクを示す図である。
【図２】  ペリクル構造体が装着されたフォトマスクをマスクステージに保持し、本発明のペリクル構造体の姿勢制御機構を配置した状態を示す断面図である。
【図３】  位置補正手段の断面図である。
【図４】  整流手段を設けてスキャン露光した場合のペリクル膜の膜面の気流を示す図である。
【符号の説明】
１  フォトマスク
２  ペリクル構造体
３  ペリクル膜
４  ペリクルフレーム
６  マスクステージ
１０  位置補正手段
１１  整流手段
１５  計測手段
１６  供給孔（圧力制御手段）
１７  吸引孔（圧力制御手段）
【図１】
0003713497.tif 000002
【図２】
0003713497.tif 000003
【図３】
0003713497.tif 000004
【図４】
0003713497.tif 000005